(57)【要約】【課題】  生分解性を有し、使用後に微生物によって水と二酸化炭素に分解可能な縫いぐるみを提供すること。【解決手段】  外皮と、内容物とを備える縫いぐるみにおいて、前記外皮は、ポリ乳酸繊維糸の編地で構成され且つパイル長が１ｍｍ〜３．８ｍｍのループパイルが表面に形成され、前記内容物として、ポリ乳酸繊維又はポリ乳酸樹脂が充填されていることを特徴とする。【選択図】図１
2006346006.tif 000002
【特許請求の範囲】
【請求項１】
外皮と、内容物とを備える縫いぐるみにおいて、前記外皮は、ポリ乳酸繊維糸の編地で構成され且つパイル長が１ｍｍ〜３．８ｍｍのループパイルが表面に形成され、前記内容物として、ポリ乳酸繊維又はポリ乳酸樹脂が充填されていることを特徴とする縫いぐるみ。
【請求項２】
前記ポリ乳酸繊維糸の撚り数は３０回／ｍ〜１５０回／ｍであることを特徴とする請求項１記載の縫いぐるみ。
【請求項３】
前記内容物として、ポリ乳酸樹脂からなるペレットが入れられていることを特徴とする請求項１又は２記載の縫いぐるみ。
【発明の詳細な説明】
【技術分野】
【０００１】
本発明は、縫いぐるみに関するものである。
【背景技術】
【０００２】
従来、全体をナイロンやアクリル、塩ビ等の合成繊維によって成形し、その外表面に植毛を付着して製作した縫いぐるみが知られている。（例えば、特許文献１、特許文献２）。
【特許文献１】実開平６２−１０８９９５号公報
【特許文献２】特開昭５９−１４６６２９号公報
【発明の開示】
【発明が解決しようとする課題】
【０００３】
上記縫いぐるみにあっては、ナイロンやアクリル、塩ビ等の合成繊維によって全体が形成されていたため、使用後の処分は埋立てや焼却によって行われていた。しかしながら、ナイロンやビニール等の合成繊維で構成された縫いぐるみの処分を埋め立てや焼却によって行う場合には、非分解で残留、埋立て用地の確保の問題やダイオキシンの発生等によって地球環境に悪影響を与えるという問題があった。
【０００４】
本発明は、かかる問題点を解決するためになされたもので、生分解性を有し、使用後に微生物によって水と二酸化炭素に分解可能な縫いぐるみを提供することを課題としている。
【課題を解決するための手段】
【０００５】
請求項１記載の縫いぐるみは、外皮と、内容物とを備える縫いぐるみにおいて、前記外皮は、ポリ乳酸繊維糸の編地で構成され且つパイル長が１ｍｍ〜３．８ｍｍのループパイルが表面に形成され、前記内容物として、ポリ乳酸繊維又はポリ乳酸樹脂が充填されていることを特徴とする。
【０００６】
請求項２記載の縫いぐるみは、請求項１記載の縫いぐるみにおいて、前記ポリ乳酸繊維糸の撚り数は３０回／ｍ〜１５０回／ｍであることを特徴とする。
【０００７】
請求項３記載の縫いぐるみは、請求項１又は２記載の縫いぐるみにおいて、前記内容物として、ポリ乳酸樹脂からなるペレットが入れられていることを特徴とする。
請求項１記載の縫いぐるみ。
【発明の効果】
【０００８】
請求項１記載の発明によれば、外皮及び内容物がポリ乳酸繊維によって構成されているので、生分解性を有し、使用後に微生物によって水と二酸化炭素に分解可能である。また、ポリ乳酸繊維の繊維表面は弱酸性なので、素肌との相性がよい。また、外皮の表面にループパイルが形成されているので、ループパイルが形成されていないものに比べて、フワフワ感があり手触り感にすぐれたものとなる。したがって、パイル長は１ｍｍ以上とするが好ましく、２．５ｍｍ以上とすることがより好ましい。一方、パイル長が長すぎると、毛並みが乱れ、絡まった状態となりゴワゴワ感（堅い感じ）がでたり、サッカー場の芝目のように毛並みの目に方向性がついてしまいその部分の色が変わってしまう可能性がある。そこで、パイル長は、３．８ｍｍ以下とするが好ましく、３．２ｍｍ以下とすることがより好ましい。
【０００９】
請求項２記載の発明によれば、ポリ乳酸繊維糸の撚り数が３０回／ｍ以上となっているので、強度が高くなると共に、ポリ乳酸繊維糸が静電気等によってばらけたりすることが防止できる。また、ポリ乳酸繊維糸の撚り数が１５０回／ｍ以下となっているので、ポリ乳酸繊維糸自体が堅くなるのを防止できる。
【００１０】
請求項３記載の発明によれば、内容物として、ポリ乳酸樹脂からなるペレットが入れられているので、縫いぐるみに重量感や安定感を持たせることができる。
【発明を実施するための最良の形態】
【００１１】
以下に、本発明の縫いぐるみを、図面を参照しながら説明する。  
図１は本発明に係る縫いぐるみの外観図である。
この縫いぐるみ１は熊の縫いぐるみとして構成されている。この縫いぐるみ１は外皮と内容物を備えて構成されている。
【００１２】
外皮は幾つかのパーツによって構成され、それらを糸によって縫合することによって構成されている。この外皮を構成するパーツのそれぞれはポリ乳酸繊維糸からなる編地で構成されている。そして、外皮の地組織の片面にはループパイルが形成されている。縫いぐるみ１は、このループパイルが形成された面を表面としている。ループパイルのループ長は１ｍｍ〜３．８ｍｍ、好ましくは２．５ｍｍ〜３．２ｍｍである。また、ポリ乳酸繊維糸の撚り数は３０回／ｍ〜１５０回／ｍである。
なお、外皮の縫合に用いられる糸としては、ポリエステルの糸、綿糸又は絹糸等が使用されている。この場合、ポリ乳酸繊維糸を使用してもよいが、強度の点が問題となる場合にはポリエステルの糸等を用いることが好ましい。
【００１３】
また、外皮のうち縫いぐるみ１の目、鼻及び口となる部分は、ポリエステルの糸、綿糸又は絹糸等による刺繍によってかたどられている。したがって、安心して遊べることになる。この場合、ポリ乳酸繊維糸を使用してもよいが、強度の点が問題となる場合にはポリエステルの糸等を用いることが好ましい。
【００１４】
内容物としては、ポリ乳酸繊維が充填されている。すなわち、縫いぐるみ１の頭部、腹部及び足部には綿状のポリ乳酸繊維が充填され、これによって、縫いぐるみ１の立体的形状が形作られている。なお、ポリ乳酸繊維に代えてポリ乳酸樹脂を充填してもよい。この場合、ポリ乳酸樹脂はある程度の弾力性を持つようにスポンジ状のものとすることが好ましい。
【００１５】
また、内容物として、ポリ乳酸樹脂からなるペレットが入れられている。このペレットは重りとして機能する。これによって、縫いぐるみ１の重量感や安定感が増すことになる。例えば、足を前方に投げ出して着座する形態を持つ縫いぐるみにあっては、このペレットを入れることによって着座時に倒れにくい縫いぐるみが実現できる。
【００１６】
以上のように、上記縫いぐるみ１によれば、全体的にポリ乳酸繊維又はポリ乳酸樹脂を使用しているので、洗ってもすぐ乾くことになる。したがって、頻繁に洗って清潔を保てることになる。また、外皮の表面にループパイルが形成されているので、赤ちゃんの体に優しくフィットし抱き心地がよいものとなる。
【００１７】
以上、本発明の実施形態について説明したが、本発明は、かかる実施形態に限定されるものでなく、その要旨を逸脱しない範囲で、種々の変形が可能であることはいうまでもない。
【００１８】
例えば、縫いぐるみに衣服を着用させるような場合には、その衣服もポリ乳酸繊維によって構成することが好ましい。この場合には、衣服が外部に露出するので、その衣服の表面にループパイルを形成することが好ましい。
【００１９】
また、ループパイルにシャーリングをかけてもよい。この場合、立毛長は上記パイル長と同じ範囲とすることが好ましい。
【図面の簡単な説明】
【００２０】
【図１】図１は本発明に係る縫いぐるみの外観図である。
【符号の説明】
【００２１】
１  縫いぐるみ
【図１】
2006346006.tif 000003